(57)【要約】【課題】使用可能な規定のサイズからなる写真を印刷できるように撮影を行う。【解決手段】証明写真の種類を選択し（Ｓ１０１）、プリントサイズを選択する（Ｓ１０２）。選択された証明写真の枠を選択されたプリントサイズに応じた大きさでスルー画像上に表示する（Ｓ１０３）。シャッターが押下されるまで待機し（Ｓ１０４）、その間撮影者は、枠内に被撮影者の上半身が適正な範囲で収まるように、カメラの向き、あるいは被撮影者からの距離等を調整する。枠内に適正な範囲で被撮影者の上半身が収まった状態で撮影者がシャッターを操作すると、撮影処理を実行し（Ｓ１０５）、スルー画像上に枠が配置された撮影画像の画像データをメモリに記録するとともに、この画像データと関連付けてプリントサイズ情報もメモリに記録する（Ｓ１０６）。【選択図】        図２
2004207813.tif 000002
【特許請求の範囲】
【請求項１】
被写体を撮像して画像データを出力する撮像手段と、この撮像手段から出力される画像データに基づき前記被写体のスルー画像を表示するとともに、このスルー画像上に撮影ガイド用の枠を表示する表示手段とを備える撮像装置において、
操作に応じてプリント用紙サイズを指定する指定手段と、
この指定手段により指定されたプリント用紙サイズに応じて前記表示手段に表示される前記枠のサイズを変更する表示枠制御手段と
を備えることを特徴とする撮像装置。
【請求項２】
前記表示手段に、前記スルー画像と撮影ガイド用の枠とが表示されている状態において、撮影指示に応答して撮影動作を実行し、前記被写体の画像データを前記プリント用紙サイズを示す情報とともに記録媒体に記録させる記録制御手段を更に備えることを特徴とする請求項１記載の撮像装置。
【請求項３】
前記表示手段に、前記スルー画像と撮影ガイド用の枠とが表示されている状態において、撮影指示に応答して撮影動作を実行し、前記スルー画像上に撮影ガイド用の枠が表示された画像データを記録媒体に記録する記録制御手段を更に備えることを特徴とする請求項１記載の撮像装置。
【請求項４】
被写体を撮像して画像データを出力する撮像手段と、この撮像手段から出力される画像データを記録する記録手段とを備える撮像装置において、
操作に応じて複数の撮影モードのいずれかを設定する撮影モード設定手段と、
この設定手段により所定の撮影モードが設定されている状態で撮影が指示された場合、撮影動作を実行し、前記所定の撮影モードに対応する所定のプリント用紙サイズを示す情報とともに画像データを前記記録手段に記録させる記録制御手段と
を備えることを特徴とする撮像装置。
【請求項５】
被写体を撮像して画像データを出力する撮像手段と、この撮像手段から出力される画像データを記録画像として記録する記録手段とを備える撮像装置において、
操作に応じてプリント用紙サイズを指定する指定手段と、
この指定手段により指定されたプリント用紙サイズに応じて、前記記録手段に記録する記録画像上に配置する前記画像データの大きさ及び又は枚数を決定する決定手段と
を備えることを特徴とする撮像装置。
【請求項６】
前記大きさ及び又は枚数で前記画像データを配置した前記記録画像と、前記指定手段により指定されたプリント用紙サイズを示す情報とを前記記録媒体に記録する記録制御手段を更に備えることを特徴とする請求項５記載の撮像装置。
【請求項７】
前記撮像手段から出力される画像データに基づき前記被写体のスルー画像を表示するとともに、このスルー画像上に撮影ガイド用の枠を表示する表示手段を更に備え、
前記記録制御手段は、前記スルー画像の前記枠内の画像のみを抽出し、この抽出した枠内の画像を前記記録画像上に配置することを特徴とする請求項６記載の撮像装置。
【請求項８】
前記決定手段が決定した画像データの枚数内において、前記記録画像上に配置する画像データの枚数を操作に応じて任意に設定する設定手段を更に備えることを特徴とする請求項５、６又は７記載の撮像装置。
【請求項９】
前記スルー画像上に、前記撮影ガイド用の枠とともに撮影時の注意事項等のガイダンスを表示させる表示制御手段を更に備えることを特徴とする請求項１から３、７にいずれか記載の撮像装置。
【請求項１０】
被写体を撮像して画像データを出力する撮像手段と、この撮像手段から出力される画像データに基づき前記被写体のスルー画像を表示するとともに、このスルー画像上に撮影ガイド用の枠を表示する表示手段とを備える撮像装置において、
前記表示手段に、前記撮影ガイド用の枠とともに撮影時の注意事項等のガイダンスを表示させる表示制御手段を備えることを特徴とする撮像装置。
【請求項１１】
被写体を撮像して画像データを出力する撮像手段と、この撮像手段から出力される画像データに基づき前記被写体のスルー画像を表示するとともに、このスルー画像上に撮影ガイド用の枠を表示する表示手段と、前記撮像手段から出力される画像データを記録媒体に記録する記録制御手段とを備える撮像装置において、
操作に応じて前記記録媒体に記録する画像データの画像サイズを指定する指定手段と、
この指定手段により指定された画像サイズに応じて前記表示手段に表示される前記枠のサイズを変更する表示枠制御手段と
を備えることを特徴とする撮像装置。
【請求項１２】
被写体を撮像して画像データを出力する撮像手段と、この撮像手段から出力される画像データに基づき前記被写体のスルー画像を表示するとともに、このスルー画像上に撮影ガイド用の枠を表示する表示手段と、前記撮像手段から出力される画像データを記録媒体に記録する記録制御手段とを備える撮像装置において、
操作に応じて複数の撮影モードのいずれかを設定する撮影モード設定手段と、
この設定手段により、前記スルー画像上に前記撮影ガイド用の枠を表示する撮影モードが設定された場合、前記記録媒体に記録する画像データの画像サイズを所定の画像サイズに設定変更する画像サイズ設定手段と
を備えることを特徴とする撮像装置。
【請求項１３】
被写体を撮像して画像データを出力する撮像手段と、この撮像手段から出力される画像データに基づき前記被写体のスルー画像を表示するとともに、このスルー画像上に撮影ガイド用の枠を表示する表示手段と、操作に応じてプリント用紙サイズを指定する指定手段とを備える撮像装置が有するコンピュータを、
前記指定手段により指定されたプリント用紙サイズに応じて前記表示手段に表示される前記枠のサイズを変更する表示枠制御手段と
して機能させることを特徴とする撮像制御プログラム。
【請求項１４】
被写体を撮像して画像データを出力する撮像手段と、この撮像手段から出力される画像データを記録する記録手段と、操作に応じて複数の撮影モードのいずれかを設定する撮影モード設定手段とを備える撮像装置が有するコンピュータを、
前記撮影モード設定手段により所定の撮影モードが設定されている状態で撮影が指示された場合、撮影動作を実行し、前記所定の撮影モードに対応する所定のプリント用紙サイズを示す情報とともに画像データを前記記録手段に記録させる記録制御手段と
して機能させることを特徴とする撮像制御プログラム。
【請求項１５】
被写体を撮像して画像データを出力する撮像手段と、この撮像手段から出力される画像データを記録画像として記録する記録手段と、操作に応じてプリント用紙サイズを指定する指定手段とを備える撮像装置が有するコンピュータを、
前記指定手段により指定されたプリント用紙サイズに応じて、前記記録手段に記録する記録画像上に配置する前記画像データの大きさ及び又は枚数を決定する決定手段と
して機能させることを特徴とする撮像制御プログラム。
【請求項１６】
被写体を撮像して画像データを出力する撮像手段と、この撮像手段から出力される画像データに基づき前記被写体のスルー画像を表示するとともに、このスルー画像上に撮影ガイド用の枠を表示する表示手段とを備える撮像装置が有するコンピュータを、
前記表示手段に、前記撮影ガイド用の枠とともに撮影時の注意事項等のガイダンスを表示させる表示制御手段して機能させることを特徴とする撮像制御プログラム。
【請求項１７】
被写体を撮像して画像データを出力する撮像手段と、この撮像手段から出力される画像データに基づき前記被写体のスルー画像を表示するとともに、このスルー画像上に撮影ガイド用の枠を表示する表示手段と、前記撮像手段から出力される画像データを記録媒体に記録する記録制御手段と、操作に応じて前記記録媒体に記録する画像データの画像サイズを指定する指定手段とを備える撮像装置が有するコンピュータを、
前記指定手段により指定された画像サイズに応じて前記表示手段に表示される前記枠のサイズを変更する表示枠制御手段と
して機能させることを特徴とする撮像制御プログラム。
【請求項１８】
被写体を撮像して画像データを出力する撮像手段と、この撮像手段から出力される画像データに基づき前記被写体のスルー画像を表示するとともに、このスルー画像上に撮影ガイド用の枠を表示する表示手段と、前記撮像手段から出力される画像データを記録媒体に記録する記録制御手段と、操作に応じて複数の撮影モードのいずれかを設定する撮影モード設定手段とを備える撮像装置が有するコンピュータを、
前記設定手段により、前記スルー画像上に前記撮影ガイド用の枠を表示する撮影モードが設定された場合、前記記録媒体に記録する画像データの画像サイズを所定の画像サイズに設定変更する画像サイズ設定手段と
して機能させることを特徴とする撮像制御プログラム。
【発明の詳細な説明】
【０００１】
【発明の属する技術分野】
【０００２】
本発明は、パスポート用や自動車運転免許用等の各種証明写真を撮影するに好適な撮像装置及び撮像制御プログラムに関する。
【０００３】
【従来の技術】
【０００４】
従来、所謂電子カメラにおいては、各種証明写真を撮影するに好適なものが提案されている。この電子カメラは、操作部での操作により証明写真の種類が選択されると、その証明写真の縦横サイズに対応した証明写真用の枠が合成された被写体像をモニタに表示させる。そして撮影指示がなされると、被写体像の画像データをメモリに記録するとともに、証明写真用の枠の情報も併せて記録する（例えば、特許文献１参照。）。
【０００５】
【特許文献１】
特開２０００−３５８２０６号公報
【０００６】
【発明が解決しようとする課題】
【０００７】
しかしながら、電子カメラにより記録された画像データに基づき画像をプリントするプリンターにあっては、Ｌサイズ、Ａ４サイズ、Ｂ５サイズ等のサイズの異なる用紙に印刷可能であるもの、あるいは所定サイズの用紙（例えばＬサイズの用紙）にのみ印刷可能であるもの等が存在する。前者にあっては、印刷用紙が選択されると、選択された用紙のほぼ全面に亘って画像を印刷し、後者にあっても、所定サイズの用紙のほぼ全面に亘って画像を印刷する。
【０００８】
したがって、撮影時に使用する種類の証明写真を選択して撮影を行い、その画像データを前記プリンターで印刷した場合、選択された用紙のサイズや当該プリンター専用の用紙のサイズによっては、選択した証明写真の縦横サイズよりも小さい枠で囲まれた写真や大きい枠で囲まれた写真が印刷されてしまい、使用可能な規定のサイズからなる証明写真をプリントすることができない。
【０００９】
本発明は、このような従来の課題に鑑みてなされたものであり、使用可能な規定のサイズからなる写真を印刷できるように撮影を行うことのできる撮像装置及び撮像制御プログラムを提供することを目的とするものである。
【００１０】
【課題を解決するための手段】
【００１１】
前記課題を解決するために請求項１にかかる発明にあっては、被写体を撮像して画像データを出力する撮像手段と、この撮像手段から出力される画像データに基づき前記被写体のスルー画像を表示するとともに、このスルー画像上に撮影ガイド用の枠を表示する表示手段とを備える撮像装置において、操作に応じてプリント用紙サイズを指定する指定手段と、この指定手段により指定されたプリント用紙サイズに応じて前記表示手段に表示される前記枠のサイズを変更する表示枠制御手段とを備える。
【００１２】
つまり、表示枠制御手段は、表示手段に表示されたスルー画像を指定されたプリント用紙サイズとした場合に対応する大きさに、枠のサイズを変更する。したがって、プリント用紙サイズが大きくなるに従って枠は相対的に小さく表示されることとなり、逆にプリント用紙サイズが小さくなるに従って枠は相対的に大きく表示されることとなる。よって、撮影者は、表示手段を見ながら枠内に被撮影者の上半身が適正な範囲で収まるように、撮像装置の向き、あるいは被撮影者からの距離等を調整することにより、枠内に適正な範囲で被撮影者の上半身が収まった状態での撮影記録が可能となる。
【００１３】
また、請求項２の発明にかかる撮像装置にあっては、前記表示手段に、前記スルー画像と撮影ガイド用の枠とが表示されている状態において、撮影指示に応答して撮影動作を実行し、前記被写体の画像データを前記プリント用紙サイズを示す情報とともに記録媒体に記録させる記録制御手段を更に備える。
【００１４】
したがって、撮影記録が終了後、記録された画像データに基づき印刷を行う際に使用するプリンターが、Ｌサイズ、Ａ４サイズ、Ｂ５サイズ等のサイズの異なる用紙に印刷可能なものである場合には、記録されているプリント用紙サイズを示す情報に基づき、プリンターが当該プリント用紙サイズで印刷を行うことができる。したがって、印刷された画像上には、撮影時に指定されたプリント用紙サイズに応じて変更された枠内に適正な大きさ及び範囲で被撮影者の上半身が収まった画像が印刷される。よって、印刷後、印刷用紙を切断することにより、使用可能な規定のサイズからなり、かつ、適正な大きさ及び範囲で上半身の画像が印刷された証明写真を完成させることができる。
【００１５】
また、請求項３の発明にかかる撮像装置にあっては、前記表示手段に、前記スルー画像と撮影ガイド用の枠とが表示されている状態において、撮影指示に応答して撮影動作を実行し、前記スルー画像上に撮影ガイド用の枠が表示された画像データを記録媒体に記録する記録制御手段を更に備える。
【００１６】
したがって、撮影記録が終了後、記録された画像データに基づき印刷を行うと、印刷された画像上には、撮影時に指定されたプリント用紙サイズに応じて変更された枠が印刷されるとともに、枠内に適正な大きさ及び範囲で被撮影者の上半身が収まった画像が印刷される。よって、印刷後、枠に沿って印刷用紙を切断することにより、使用可能な規定のサイズからなり、かつ、適正な大きさ及び範囲で上半身の画像が印刷された証明写真を完成させることができる。
【００１７】
また、請求項４にかかる発明にあっては、被写体を撮像して画像データを出力する撮像手段と、この撮像手段から出力される画像データを記録する記録手段とを備える撮像装置において、操作に応じて複数の撮影モードのいずれかを設定する撮影モード設定手段と、この設定手段により所定の撮影モードが設定されている状態で撮影が指示された場合、撮影動作を実行し、前記所定の撮影モードに対応する所定のプリント用紙サイズを示す情報とともに画像データを前記記録手段に記録させる記録制御手段とを備える。
【００１８】
したがって、撮影記録が終了後、記録された画像データに基づき印刷を行う際に使用するプリンターが、Ｌサイズ、Ａ４サイズ、Ｂ５サイズ等のサイズの異なる用紙に印刷可能なものである場合には、記録されている所定の撮影モードに対応する所定のプリント用紙サイズを示す情報に基づき、プリンターが当該プリント用紙サイズで印刷を行うことができる。したがって、印刷後、印刷用紙を切断することにより、使用可能な規定のサイズからなり、かつ、適正な大きさ及び範囲で上半身の画像が印刷された証明写真を完成させることができる。
【００１９】
また、請求項５にかかる発明にあっては、被写体を撮像して画像データを出力する撮像手段と、この撮像手段から出力される画像データを記録画像として記録する記録手段とを備える撮像装置において、操作に応じてプリント用紙サイズを指定する指定手段と、この指定手段により指定されたプリント用紙サイズに応じて、前記記録手段に記録する記録画像上に配置する前記画像データの大きさ及び又は枚数を決定する決定手段とを備える。
【００２０】
したがって、記録画像上にプリント用紙サイズに応じた大きさ及び又は枚数の撮影画像が配置された画像データを記録することが可能となる。よって、この画像データに基づきプリンターで印刷を行うことにより、印刷用紙を効率的に使用して適正な大きさ及び範囲で上半身の画像が印刷することができる。
【００２１】
また、請求項６の発明にかかる撮像装置にあっては、前記大きさ及び又は枚数で前記画像データを配置した前記記録画像と、前記指定手段により指定されたプリント用紙サイズを示す情報とを前記記録媒体に記録する記録制御手段を更に備える。
【００２２】
したがって、撮影記録が終了後、記録された画像データに基づき印刷を行う際に使用するプリンターが、Ｌサイズ、Ａ４サイズ、Ｂ５サイズ等のサイズの異なる用紙に印刷可能なものである場合には、記録されているプリント用紙サイズを示す情報に基づき、プリンターが当該プリント用紙サイズで印刷を行うことができる。よって、この種のプリンターを用いた場合であっても、印刷用紙を効率的に使用しつつ、適正な大きさ及び範囲で上半身の画像が印刷された証明写真を完成させることができる。
【００２３】
また、請求項７の発明にかかる撮像装置にあっては、前記撮像手段から出力される画像データに基づき前記被写体のスルー画像を表示するとともに、このスルー画像上に撮影ガイド用の枠を表示する表示手段を更に備え、前記記録制御手段は、前記スルー画像の前記枠内の画像のみを抽出し、この抽出した枠内の画像を前記記録画像上に配置する。したがって、撮影記録が終了後、記録画像の印刷を行い、印刷用紙の印刷部分のみを切断すれば、使用可能な規定のサイズからなり、かつ、適正な大きさ及び範囲で上半身の画像が印刷された証明写真を容易に完成させることができる。
【００２４】
また、請求項８の発明にかかる撮像装置にあっては、前記決定手段が決定した画像データの枚数内において、前記記録画像上に配置する画像データの枚数を操作に応じて任意に設定する設定手段を更に備える。したがって、ユーザが必要とする枚数分の画像を印刷することができ、無駄な印刷を未然に防止してプリンターのインクを節約することができる。
【００２５】
また、請求項９の発明にかかる撮像装置にあっては、前記スルー画像上に、前記撮影ガイド用の枠とともに撮影時の注意事項等のガイダンスを表示させる表示制御手段を更に備える。したがって、撮影者がこのガイダンスを視認してこれに従い、あるいは被撮影者に指示することにより、サイズ以外の条件に関しても適切な証明写真となる画像を撮影記録することができる。
【００２６】
また、請求項１０にかかる発明にあっては、被写体を撮像して画像データを出力する撮像手段と、この撮像手段から出力される画像データに基づき前記被写体のスルー画像を表示するとともに、このスルー画像上に撮影ガイド用の枠を表示する表示手段とを備える撮像装置において、前記表示手段に、前記撮影ガイド用の枠とともに撮影時の注意事項等のガイダンスを表示させる表示制御手段を備える。したがって、撮影者がこのガイダンスを視認してこれに従い、あるいは被撮影者に指示することにより、サイズ以外の条件に関しても適切な証明写真となる画像を撮影記録することができる。
【００２７】
また、請求項１１にかかる発明にあっては、被写体を撮像して画像データを出力する撮像手段と、この撮像手段から出力される画像データに基づき前記被写体のスルー画像を表示するとともに、このスルー画像上に撮影ガイド用の枠を表示する表示手段と、前記撮像手段から出力される画像データを記録媒体に記録する記録制御手段とを備える撮像装置において、操作に応じて前記記録媒体に記録する画像データの画像サイズを指定する指定手段と、この指定手段により指定された画像サイズに応じて前記表示手段に表示される前記枠のサイズを変更する表示枠制御手段とを備える。
【００２８】
すなわち、撮影記録が終了後、記録された画像データに基づき印刷を行う際に使用するプリンターが、記録画像サイズからプリント画像サイズが一義的に定まるものである場合、当該（記録）画像サイズを指定すれば、これに応じて表示されている枠のサイズが変化する。したがって、撮影者は、表示手段を見ながら枠内に被撮影者の上半身が適正な範囲で収まるように、撮像装置の向き、あるいは被撮影者からの距離等を調整することにより、枠内に適正な範囲で被撮影者の上半身が収まった状態で印刷できるように撮影記録することが可能となる。
【００２９】
また、請求項１２にかかる発明にあっては、被写体を撮像して画像データを出力する撮像手段と、この撮像手段から出力される画像データに基づき前記被写体のスルー画像を表示するとともに、このスルー画像上に撮影ガイド用の枠を表示する表示手段と、前記撮像手段から出力される画像データを記録媒体に記録する記録制御手段とを備える撮像装置において、操作に応じて複数の撮影モードのいずれかを設定する撮影モード設定手段と、この設定手段により、前記スルー画像上に前記撮影ガイド用の枠を表示する撮影モードが設定された場合、前記記録媒体に記録する画像データの画像サイズを所定の画像サイズに設定変更する画像サイズ設定手段とを備える。
【００３０】
すなわち、証明写真のサイズは、一般的な写真の画像サイズよりも小さいことから、撮影ガイド用の枠を表示する撮影モードの撮影、つまり証明写真を作成することを目的とする撮影時には記録すべき必要な画像サイズも小さい。よって、スルー画像上に前記撮影ガイド用の枠を表示する撮影モードが設定されて、証明写真を作成することを目的とする撮影である場合には、記録する画像サイズを所定の画像サイズに設定変更することにより、証明写真を作成するための画像サイズからなる画像データを効率的に記録することができる。その結果、撮影記録後の印刷時において、効率的に印刷用紙及びインク使用して、経済的に印刷を行うことができる。
【００３１】
また、請求項１３の発明にかかる撮像制御プログラムにあっては、被写体を撮像して画像データを出力する撮像手段と、この撮像手段から出力される画像データに基づき前記被写体のスルー画像を表示するとともに、このスルー画像上に撮影ガイド用の枠を表示する表示手段と、操作に応じてプリント用紙サイズを指定する指定手段とを備える撮像装置が有するコンピュータを、前記指定手段により指定されたプリント用紙サイズに応じて前記表示手段に表示される前記枠のサイズを変更する表示枠制御手段として機能させる。したがって、前記コンピュータがこのプログラムに従って処理を実行することにより、請求項１にかかる発明と同様の作用効果を奏する。
【００３２】
また、請求項１４の発明にかかる撮像制御プログラムにあっては、被写体を撮像して画像データを出力する撮像手段と、この撮像手段から出力される画像データを記録する記録手段と、操作に応じて複数の撮影モードのいずれかを設定する撮影モード設定手段とを備える撮像装置が有するコンピュータを、前記撮影モード設定手段により所定の撮影モードが設定されている状態で撮影が指示された場合、撮影動作を実行し、前記所定の撮影モードに対応する所定のプリント用紙サイズを示す情報とともに画像データを前記記録手段に記録させる記録制御手段として機能させる。したがって、前記コンピュータがこのプログラムに従って処理を実行することにより、請求項４にかかる発明と同様の作用効果を奏する。
【００３３】
また、請求項１５の発明にかかる撮像制御プログラムにあっては、被写体を撮像して画像データを出力する撮像手段と、この撮像手段から出力される画像データを記録画像として記録する記録手段と、操作に応じてプリント用紙サイズを指定する指定手段とを備える撮像装置が有するコンピュータを、前記指定手段により指定されたプリント用紙サイズに応じて、前記記録手段に記録する記録画像上に配置する前記画像データの大きさ及び又は枚数を決定する決定手段として機能させる。したがって、前記コンピュータがこのプログラムに従って処理を実行することにより、請求項５にかかる発明と同様の作用効果を奏する。
【００３４】
また、請求項１６の発明にかかる撮像制御プログラムにあっては、被写体を撮像して画像データを出力する撮像手段と、この撮像手段から出力される画像データに基づき前記被写体のスルー画像を表示するとともに、このスルー画像上に撮影ガイド用の枠を表示する表示手段とを備える撮像装置が有するコンピュータを、前記表示手段に、前記撮影ガイド用の枠とともに撮影時の注意事項等のガイダンスを表示させる表示制御手段して機能させる。したがって、前記コンピュータがこのプログラムに従って処理を実行することにより、請求項１０にかかる発明と同様の作用効果を奏する。
【００３５】
また、請求項１７の発明にかかる撮像制御プログラムにあっては、被写体を撮像して画像データを出力する撮像手段と、この撮像手段から出力される画像データに基づき前記被写体のスルー画像を表示するとともに、このスルー画像上に撮影ガイド用の枠を表示する表示手段と、前記撮像手段から出力される画像データを記録媒体に記録する記録制御手段と、操作に応じて前記記録媒体に記録する画像データの画像サイズを指定する指定手段とを備える撮像装置が有するコンピュータを、前記指定手段により指定された画像サイズに応じて前記表示手段に表示される前記枠のサイズを変更する表示枠制御手段として機能させる。したがって、前記コンピュータがこのプログラムに従って処理を実行することにより、請求項１１にかかる発明と同様の作用効果を奏する。
【００３６】
また、請求項１８の発明にかかる撮像制御プログラムにあっては、被写体を撮像して画像データを出力する撮像手段と、この撮像手段から出力される画像データに基づき前記被写体のスルー画像を表示するとともに、このスルー画像上に撮影ガイド用の枠を表示する表示手段と、前記撮像手段から出力される画像データを記録媒体に記録する記録制御手段と、操作に応じて複数の撮影モードのいずれかを設定する撮影モード設定手段とを備える撮像装置が有するコンピュータを、前記設定手段により、前記スルー画像上に前記撮影ガイド用の枠を表示する撮影モードが設定された場合、前記記録媒体に記録する画像データの画像サイズを所定の画像サイズに設定変更する画像サイズ設定手段として機能させる。したがって、前記コンピュータがこのプログラムに従って処理を実行することにより、請求項１２にかかる発明と同様の作用効果を奏する。
【００３７】
【発明の実施の形態】
【００３８】
以下、本発明の一実施の形態を図に従って説明する。
（第１の実施の形態）
図１は本発明の各実施の形態に共通するデジタルスチルカメラ１の概略構成を示すブロック図である。このデジタルスチルカメラ１は、レンズユニット２を有し、このレンズユニット２の後方には、ＣＣＤからなる撮像素子３が配置されている。この撮像素子３からの出力信号は信号処理回路４により画質モードに応じて処理され、ＣＰＵ５に取り込まれる。ＣＰＵ５には、前記撮像素子３、時計部６、ビデオＲＡＭ７が接続されているとともに、キー入力部８、ＲＯＭ１０、ＲＡＭ１１、メモリカード１２、及びＩ／Ｏポート９が接続されている。
【００３９】
時計部６は、現在年月日及び時刻を計時するものであり、キー入力部８には、電源のオン・オフ時に操作される電源キー、映像をメモリカード１２に記憶させる際に操作されるシャッターボタン、証明写真モードを含む撮影モードと再生モードとを選択的に設定するためのモード設定キー等の各種キーが設けられている。ＲＯＭ１０にはＣＰＵ５のプログラムや、ビザ用、パスポート用等の証明写真の縦横サイズ、Ｌサイズ、Ａ４サイズ等の印刷用紙を用いた場合のプリント縦横サイズであるプリントサイズ等が記憶されており、ＣＰＵ５は、前記プログラムに基づき動作し、ＲＡＭ１１をワークメモリとして使用して各部の制御を行う。メモリカード１２は着脱自在であって、撮影モード及び後述する証明写真モードで生成された被写体画像データ等を記録するメモリであり、Ｉ／Ｏポート９は、メモリカード１２に記録された画像データ等をシリアルＩ／Ｏ端子１５を介して、外部のプリンターへ出力するインタフェースである。
【００４０】
また、ＲＡＭ１１は、撮像素子３により撮像された後信号処理回路４によりデジタル化された被写体の画像データを一時保存するバッファとしても使用される。シャッターボタンの操作時にＲＡＭ１１に一時保存された画像データは、ＣＰＵ５による撮影処理により圧縮（符号化）が行われ、最終的には所定のフォーマット（ＪＰＥＧ方式等）を備えた静止画データとしてメモリカード１２に記録される。
【００４１】
ビデオＲＡＭ７には、証明写真モードと撮影モードの状態においては、信号処理回路４で処理された撮像素子３からの出力信号に基づく被写体画像の画像データが所定のタイミング毎に格納される。この画像データに基づき、表示回路１３が表示部１４を駆動することにより、レンズユニット２により撮像素子３上に結像された被写体画像がスルー画像としてＬＣＤからなる表示部１４にて表示される。また、再生モードの状態においては、メモリカード１２から読み出された画像データが格納され、この画像データに基づき、表示回路１３が表示部１４を駆動することにより、記録されている画像データに基づく画像が表示部１４にて表示される。
【００４２】
以上の構成にかかる本実施の形態において、ユーザがキー入力部８でモード設定キーを操作することにより、撮影モードとして証明写真モードを選択すると、ＣＰＵ５はＲＯＭ１０に記憶されているプログラムに基づき、図２に示すフローチャートに従って制御を実行する。すなわち、先ず証明写真の種類を選択する処理を実行する（ステップＳ１０１）。このステップＳ１０１での処理に際しては、図３（ａ）に示すように、表示部１４に「１．ビザ用」〜「４．自動車運転免許用」の証明写真選択メニューを表示し、ユーザがキー入力部８の操作によりこの証明写真選択メニューの中からいずれか一つを選択すると、この選択した証明写真の種類に決定してＲＡＭ１１に記憶する。
【００４３】
次に、プリント用紙サイズを選択する処理を実行する（ステップＳ１０２）。このステップＳ１０２での処理に際しては、図３（ｂ）に示すように、表示部１４に「１．Ｌサイズ」〜「３．Ｂ５サイズ」のプリントサイズ選択メニューを表示し、ユーザがキー入力部８の操作によりこのプリントサイズ選択メニューの中からいずれか一つを選択すると、この選択したプリントサイズに決定してＲＡＭ１１に記憶する。このとき、当該ユーザが所有しているプリンターが、例えばＬサイズの用紙にのみ印刷可能であるＬサイズ専用プリンターである場合には、「１．Ｌサイズ」を選択する。
【００４４】
引き続き、選択された証明写真のフレーム（枠）を選択されたプリントサイズに応じた大きさでスルー画像上に（ガイダンスを伴って）表示する（ステップＳ１０３）。すなわち、前述のようにビデオＲＡＭ７には、証明写真モードの状態においては、信号処理回路４で処理された撮像素子３からの出力信号に基づく被写体画像の画像データが所定のタイミング毎に格納される。この画像データに基づき、表示回路１３が表示部１４を駆動することにより、レンズユニット２により撮像素子３上に結像された被写体画像がスルー画像としてＬＣＤからなる表示部１４にて表示される。
【００４５】
そして、この表示部１４に表示されたスルー画像全体が、前記ステップＳ１０２で選択されたプリントサイズ（本例の場合Ｌサイズ）で印刷される画像であり、その縦横サイズは既知である（前述のようにＲＯＭ１０に記憶されている。）。また、前述のステップＳ１０１では証明写真の種類が選択されておりその縦横サイズも既知である（同様にＲＯＭ１０に記憶されている。）。したがって、表示部１４に表示されたスルー画像全体がステップＳ１０２で選択されたプリントサイズであると仮定すると、このプリントサイズに対する相対的な関係から、表示部１４に表示すべき選択された証明写真の枠の大きさを演算することができる。したがって、ＣＰＵ５は、この演算を行って、プリントサイズに対応する大きさから成る証明写真の枠をスルー画像上（好ましくはスルー画像上の中央部）に表示する。
【００４６】
若しくは、予めＲＯＭ１０に、プリントサイズ（Ｌサイズ、Ａ４サイズ、Ｂ５サイズ）に対応して表示部１４に表示すべき証明写真（ビザ用、パスポート用、履歴書用、自動車運転免許用）の枠のサイズデータを記憶したテーブルを設けておき、このテーブルから対応する枠のサイズデータを読み出して、プリントサイズに対応する大きさから成る証明写真の枠をスルー画像上に表示する。
【００４７】
したがって、このステップＳ１０３での処理により、図３（ｃ）に示すように、表示部１４に表示されたスルー画像Ｓを選択されたプリントサイズＰとした場合に対応する大きさで、選択された証明写真の枠Ｆが表示部１４に表示される。つまり、プリントサイズＰが大きくなるに従って、枠Ｆは相対的に小さく表示されることとなり、プリントサイズＰが同じである場合には、選択された証明写真のサイズが大きくなるに従って、枠Ｆは相対的に大きく表示されることとなる。
【００４８】
また、このステップＳ１０３においては、枠Ｆの外部に「笑ってはいけない」「背景は白」「ピン止めはしない」等のガイダンスＧも表示する。したがって、撮影者がこのガイダンスＧを視認してこれに従い、あるいは被撮影者に指示することにより、後述するサイズ以外の条件に関しても適切な証明写真となる画像を撮影記録することができる。
【００４９】
次に、シャッターボタンが押下されるまで待機し（ステップＳ１０４）、その間撮影者は、表示部１４を見ながら枠Ｆ内に被撮影者の上半身が適正な範囲で収まるように、デジタルスチルカメラ１の向き、あるいは被撮影者からの距離等を調整する。そして、枠Ｆ内に適正な範囲で被撮影者の上半身が収まった状態で撮影者がシャッターボタンを操作すると（ステップＳ１０４；ＹＥＳ）、前述した撮影処理を実行し（ステップＳ１０５）、スルー画像上に枠が配置された撮影画像の画像データをメモリカード１２に記録するとともに、この画像データと関連付けてステップＳ１０２で選択されたプリントサイズ情報もメモリカード１２に記録する（ステップＳ１０６）。
【００５０】
そして、このようにして証明写真の撮影が終了したならば、デジタルスチルカメラ１からメモリカード１２を取り外し、ユーザが所有するプリンターにセットする。若しくは、デジタルスチルカメラ１にメモリカード１２を装着した状態で、Ｉ／Ｏ端子１５にユーザが所有するプリンターを接続し、Ｉ／Ｏポート９及びシリアルＩ／Ｏ端子１５を介して、メモリカード１２に記録されている画像データをプリンターに出力する。
【００５１】
ここで、当該ユーザが所有しているプリンターが本例のように、Ｌサイズ専用プリンターである場合には、プリンターはＬサイズで画像データに基づく画像をプリントする。このとき、本例においてはステップＳ１０２での処理により、Ｌサイズが選択されていることから、Ｌサイズで印刷された画像上には、ステップＳ１０１で選択された証明写真の縦横サイズを有する枠Ｆが印刷されるとともに、枠Ｆ内に適正な大きさ及び範囲で被撮影者の上半身が収まった画像が印刷される。したがって、印刷後、枠に沿って印刷用紙を切断することにより、使用可能な規定のサイズからなり、かつ、適正な大きさ及び範囲で上半身の画像が印刷された証明写真を完成させることができる。
【００５２】
また、使用するプリンターがＬサイズ、Ａ４サイズ、Ｂ５サイズ等のサイズの異なる用紙に印刷可能なものである場合には、メモリカード１２に画像データと関連付けて記録されているプリントサイズ情報に基づき、プリンターが当該プリントサイズで印刷を行う。したがって、前述と同様に、印刷された画像上には、ステップＳ１０１で選択された証明写真の縦横サイズを有する枠Ｆが印刷されるとともに、枠Ｆ内に適正な大きさ及び範囲で被撮影者の上半身が収まった画像が印刷される。よって、印刷後、枠に沿って印刷用紙を切断することにより、使用可能な規定のサイズからなり、かつ、適正な大きさ及び範囲で上半身の画像が印刷された証明写真を完成させることができる。
【００５３】
なお、本実施の形態においては、ステップＳ１０６での処理により、枠Ｆを有する画像データをメモリカード１２に記録するようにしたが、枠のデータは記録することなく、画像データのみを記録するようにしてもよい。この場合であっても、ステップＳ１０１で選択した証明写真の種類に応じた適正な大きさ及び範囲で上半身の画像が印刷されることから、印刷後、印刷用紙を前記選択した証明写真の大きさに切断すれば、使用可能な規定のサイズからなり、かつ、適正な大きさ及び範囲で上半身の画像が印刷された証明写真を完成させることができる。
【００５４】
また、枠のデータは記録することなく、枠Ｆ内の画像のみを記録し、枠Ｆ外のデータは白色データにして記録するようにしてもよい。この場合であっても、印刷後、印刷用紙の印刷部分のみを切断すれば、使用可能な規定のサイズからなり、かつ、適正な大きさ及び範囲で上半身の画像が印刷された証明写真を完成させることができる。さらに、不要な部分の印刷を回避してインクを節約することができる。
【００５５】
また、ステップＳ１０２の処理に代えて、証明写真モードを設定した時点あるいはステップＳ１０１で証明写真の種類が選択された時点で、証明写真あるいは選択された種類の証明写真を印刷するのに適した（必要十分な）プリント用紙サイズを自動選択する処理を行うようにし、ステップＳ１０６で自動選択されたプリント用紙サイズ情報を画像データと関連付けてメモリカード１２に記録するようにしてもよい。
【００５６】
（第２の実施の形態）
図４は、本発明の第２の実施の形態における処理手順を示すフローチャートである。証明写真モードが選択されると、ＣＰＵ５はＲＯＭ１０に記憶されているプログラムに基づき、図４に示すフローチャートに従って制御を実行する。すなわち、前述した図２のフローチャートにおけるステップＳ１０１及びＳ１０２と同様に、証明写真の種類を選択する処理（ステップＳ２０１）、プリントサイズを選択する処理（ステップＳ２０２）を実行する。
【００５７】
引き続き、選択された証明写真の枠をスルー画像上に（ガイダンスを伴って）表示する（ステップＳ２０３）。このステップＳ２０３での処理により、図３（ｃ）に示したように、表示部１４に表示されたスルー画像Ｓ上に枠Ｆが表示されるとともに、ガイダンスＧが表示される。しかし、前述のステップＳ１０３での処理とは異なり、枠Ｆは予めＲＯＭ１０に記憶されている固定のサイズである。なお、枠Ｆ内の画像は後述するようにリサイズされることから、枠Ｆのサイズは大きめであることが好ましい。
【００５８】
次に、シャッターボタンが押下されるまで待機し（ステップＳ２０４）、その間撮影者は、表示部１４を見ながら枠Ｆ内に被撮影者の上半身が適正な範囲で収まるように、デジタルスチルカメラ１の向き、あるいは被撮影者からの距離等を調整する。そして、枠Ｆ内に適正な範囲で被撮影者の上半身が収まった状態で撮影者がシャッターボタンを操作すると（ステップＳ２０４；ＹＥＳ）、撮影処理を行って符号化処理等を実行する（ステップＳ２０５）。
【００５９】
引き続き、前記ステップＳ２０２で選択されたプリントサイズに応じて、記録画像上に配置可能な撮影画像（枠Ｆ内の画像）の大きさを決定する。すなわち、ステップＳ２０２で選択されたプリントサイズは予めＲＯＭ１０に記憶されており、その縦横サイズは既知である。また、前述のステップＳ２０１では証明写真の種類が選択されておりその縦横サイズも既知である。したがって、表示部１４に表示されたスルー画像全体がステップＳ２０２で選択されたプリントサイズの記録画像であると仮定すると、この記録画像に対する相対的な関係から、枠Ｆ内の画像である撮影画像の大きさを演算することができる。したがって、ＣＰＵ５は、この演算を行って、プリントサイズに対応する大きさから成る証明写真の枠Ｆ内の画像（撮影画像）の大きさを決定する。
【００６０】
若しくは、予めＲＯＭ１０に、プリントサイズ（Ｌサイズ、Ａ４サイズ、Ｂ５サイズ）に対応して証明写真（ビザ用、パスポート用、履歴書用、自動車運転免許用）の枠内の画像（撮影画像）のサイズデータを記憶したテーブルを設けておき、このテーブルから対応する撮影画像のサイズデータを読み出して、撮影画像の大きさを決定する。
【００６１】
次に、この決定した大きさから成る撮影画像を前記プリントサイズの記録画像上に複数枚配置可能であるか否かを判断する（ステップＳ２０７）。複数枚の配置は不可能で、１枚のみ配置可能である場合には（ステップＳ２０７；ＮＯ）、図５（ａ）に示すように、前記ステップＳ２０６で決定した大きさにリサイズ（縮小又は拡大処理）した撮影画像Ａを記録画像Ｂ上に１枚配置した画像データを生成する（ステップＳ２０８）。
【００６２】
また、図５（ｂ）に示すように、撮影画像Ａを記録画像Ｂ上に複数枚配置可能である場合には（ステップＳ２０７；ＹＥＳ）、記録画像Ｂ上に配置可能な撮影画像Ａの枚数を決定する（ステップＳ２０９）。そして、前記ステップＳ２０６で決定した大きさにリサイズ（縮小又は拡大処理）した撮影画像Ａを図示のように、記録画像Ｂ上に複数枚（本例では３枚）配置した画像データを生成する（ステップＳ２１０）。そして、ステップＳ２０８又はステップＳ２１０の処理を行ったならば、枠Ｆとともに撮影画像Ａが配置された記録画像Ｂの画像データをメモリカード１２に記録するとともに、この画像データと関連付けてプリントサイズ情報もメモリカード１２に記録する（ステップＳ２１１）。
【００６３】
このようにして証明写真の撮影が終了したならば、デジタルスチルカメラ１からメモリカード１２を取り外し、ユーザが所有するプリンターにセットする。若しくは、デジタルスチルカメラ１にメモリカード１２を装着した状態で、Ｉ／Ｏ端子１５にユーザが所有するプリンターを接続し、Ｉ／Ｏポート９及びシリアルＩ／Ｏ端子１５を介して、メモリカード１２に記録されている画像データをプリンターに出力する。
【００６４】
ここで、当該ユーザが所有しているプリンターが本例のように、Ｌサイズ専用プリンターである場合には、プリンターはＬサイズで画像データに基づく画像をプリントする。このとき、本例においてはステップＳ２０２での処理により、Ｌサイズが選択されていることから、Ｌサイズで印刷された画像上には、ステップＳ２０１で選択された証明写真の縦横サイズを有する枠Ｆ内に適正な大きさ及び範囲で被撮影者の上半身が収まった画像Ａが、１枚の印刷用紙に１枚あるいは複数枚印刷される。したがって、印刷後、枠に沿って印刷用紙を切断することにより、使用可能な規定のサイズからなり、かつ、適正な大きさ及び範囲で上半身の画像が印刷された証明写真を１枚あるいは複数枚完成させることができる。
【００６５】
また、使用するプリンターがＬサイズ、Ａ４サイズ、Ｂ５サイズ等のサイズの異なる用紙に印刷可能なものである場合には、メモリカード１２に画像データと関連付けて記録されているプリントサイズ情報に基づき、プリンターが当該プリントサイズで印刷を行う。したがって、前述と同様に、印刷された画像上には、ステップＳ２０１で選択された証明写真の縦横サイズを有する枠Ｆが印刷されるとともに、枠Ｆ内に適正な大きさ及び範囲で被撮影者の上半身が収まった画像Ａが、１枚の印刷用紙に１枚あるいは複数枚印刷される。よって、印刷後、枠に沿って印刷用紙を切断することにより、使用可能な規定のサイズからなり、かつ、適正な大きさ及び範囲で上半身の画像が印刷された証明写真を完成させることができる。
【００６６】
しかも、本実施の形態においては、１枚の印刷用紙に可能な限りの枚数で、使用可能な規定のサイズからなり、かつ、適正な大きさ及び範囲で上半身の画像が印刷されることから、印刷用紙を効率的に使用して印刷用紙を節約することができる。
【００６７】
なお、本実施の形態においては、ステップＳ２１１での処理により、枠Ｆを有する画像データをメモリカード１２に記録するようにしたが、枠のデータは記録することなく、画像データのみを記録するようにしてもよい。この場合であっても、ステップＳ２０１で選択した証明写真の種類に応じた適正な大きさ及び範囲で上半身の画像が印刷されることから、印刷後、印刷用紙を前記選択した証明写真の大きさに切断すれば、使用可能な規定のサイズからなり、かつ、適正な大きさ及び範囲で上半身の画像が印刷された証明写真を完成させることができる。
【００６８】
また、枠のデータは記録することなく、枠Ｆ内の画像のみを抽出して記録するようにしてもよい。この場合であっても、印刷後、印刷用紙の印刷部分のみを切断すれば、使用可能な規定のサイズからなり、かつ、適正な大きさ及び範囲で上半身の画像が印刷された証明写真を完成させることができる。
【００６９】
また、本実施の形態においては、ステップＳ２０７で自動的に配置枚数を決定するようにしたが、最大配置可能枚数以内において何枚配置するかをユーザが決定できるようにしてもよい。これにより、ユーザが必要とする枚数分の画像を印刷することができ、無駄な印刷を未然に防止してプリンターのインクを節約することができる。
【００７０】
（第３の実施の形態）
図６は、本発明の第３の実施の形態における処理手順を示すフローチャートであり、使用するプリンターが記録画像サイズからプリント画像サイズが一義的に定まるものである場合、つまり印刷用紙のサイズを変更しても、記録時の画質モードに応じた同一サイズで画像を印刷するタイプのプリンターを使用する場合におけるデジタルスチルカメラ１側の処理手順を示すものである。
【００７１】
電源オン状態になると、ＣＰＵ５はＲＯＭ１０に記憶されているプログラムに基づき、図６に示すフローチャートに従って制御を実行する。すなわち、ユーザがキー入力部８で所望の画質モード（高画質モードと低画質モードとのいずれか）を選択することにより画質モード設定操作を行うと、選択された画質モードが設定される（ステップＳ３０１）。また、ユーザがキー入力部８で所望の撮影モードを選択することにより撮影モード設定操作を行うと、選択された撮影モードが設定される（ステップＳ３０２）。さらに撮影モードのうち証明写真モードが選択されたか否かを判断し（ステップＳ３０３）、証明写真モードが選択されなかった場合には、選択された撮影モードに応じた撮影処理に移行する。
【００７２】
また、証明写真モードが選択された場合には、前述したステップＳ１０１での処理と同様に証明写真の種類を選択する処理を実行する（ステップＳ３０４）。すなわち、表示部１４に図３（ａ）に示した証明写真選択メニューを表示して、ユーザがキー入力部８の操作によりこの証明写真選択メニューの中からいずれか一つを選択すると、この選択した証明写真の種類に決定してＲＡＭ１１に記憶する。
【００７３】
次に、選択された証明写真の枠を、現在設定されている画質モードに応じた大きさでスルー画像上に（ガイダンスを伴って）表示する（ステップＳ３０５）。すなわち、ビデオＲＡＭ７には、証明写真モードの状態においては、信号処理回路４で処理された撮像素子３からの出力信号に基づく被写体画像の画像データが所定のタイミング毎に格納される。この画像データに基づき、表示回路１３が表示部１４を駆動することにより、レンズユニット２により撮像素子３上に結像された被写体画像がスルー画像としてＬＣＤからなる表示部１４にて表示される。
【００７４】
そして、この表示部１４に表示されたスルー画像全体が、前記ステップＳ３０１で選択された高画質モード又は低画質モードで印刷される画像であり、その縦横サイズは既知である。すなわち、低画質モードで印刷される画像は高画質モードで印刷される画像よりも小さいサイズである。また、前述のステップＳ３０４では証明写真の種類が選択されておりその縦横サイズも既知である。したがって、表示部１４に表示されたスルー画像全体がステップＳ３０１で選択された高画質モード又は低画質モードのプリントサイズであると仮定すると、このプリントサイズに対する相対的な関係から、表示部１４に表示すべき選択された証明写真の枠の大きさを演算することができる。したがって、ＣＰＵ５は、この演算を行って、画質モードに対応する大きさから成る証明写真の枠をスルー画像上（好ましくはスルー画像上の中央部）に表示する。
【００７５】
若しくは、予めＲＯＭ１０に、高画質モード又は低画質モードに対応して表示部１４に表示すべき証明写真（ビザ用、パスポート用、履歴書用、自動車運転免許用）の枠のサイズデータを記憶したテーブルを設けておき、このテーブルから対応する枠のサイズデータを読み出して、画質モードに対応する大きさから成る証明写真の枠をスルー画像上に表示する。
【００７６】
したがって、このステップＳ３０５での処理により、図３（ｃ）に示したように、表示部１４に表示されたスルー画像Ｓを選択された画質モードとした場合に対応する大きさで、選択された証明写真の枠Ｆが表示部１４に表示される。つまり、高画質モードの場合には低画質モードよりも枠Ｆは相対的に小さく表示されることとなり、画質モードが同じである場合には、選択された証明写真のサイズが大きくなるに従って、枠Ｆは相対的に大きく表示されることとなる。
また、このステップＳ３０５においても、枠Ｆの外部にガイダンスＧを表示する。
【００７７】
次に、シャッターボタンが押下されるまで待機し（ステップＳ３０６）、その間撮影者は、表示部１４を見ながら枠Ｆ内に被撮影者の上半身が適正な範囲で収まるように、デジタルスチルカメラ１の向き、あるいは被撮影者からの距離等を調整する。そして、枠Ｆ内に適正な範囲で被撮影者の上半身が収まった状態で撮影者がシャッターボタンを操作すると（ステップＳ３０６；ＹＥＳ）、現在設定されている画質モードで撮影処理を実行し（ステップＳ３０７）、スルー画像上に枠が配置された撮影画像の画像データをメモリカード１２に記録する（ステップＳ３０８）。
【００７８】
そして、このようにして証明写真の撮影が終了したならば、デジタルスチルカメラ１からメモリカード１２を取り外し、ユーザが所有するプリンターにセットする。若しくは、デジタルスチルカメラ１にメモリカード１２を装着した状態で、Ｉ／Ｏ端子１５にユーザが所有するプリンターを接続し、Ｉ／Ｏポート９及びシリアルＩ／Ｏ端子１５を介して、メモリカード１２に記録されている画像データをプリンターに出力する。
【００７９】
ここで、本実施の形態において使用されるプリンターは、前述のように、記録画像サイズからプリント画像サイズが一義的に定まるものであり、印刷用紙のサイズを変更しても、記録時の画質モードに応じた同一サイズで画像を印刷するタイプのプリンターである。したがって、プリンターは入力される画像データが高画質モードで撮影されたものである場合には、低画質モードよりも大きなサイズであって、高画質モードに対応する所定サイズの画像を印刷し、低画質モードで撮影されたものである場合には、高画質モードよりも小さなサイズであって、低画質モードに対応する所定サイズの画像を印刷する。
【００８０】
このとき、前述のステップＳ３０５での処理により、画質モードに対応する大きさから成る証明写真の枠をスルー画像上に表示し、かつステップＳ３０８での処理より、枠のデータも記録したことから、画質モードに応じたサイズで印刷された画像上には、ステップＳ３０４で選択された証明写真の縦横サイズを有する枠Ｆが印刷されるとともに、枠Ｆ内に適正な大きさ及び範囲で被撮影者の上半身が収まった画像が印刷される。したがって、印刷後、枠に沿って印刷用紙を切断することにより、使用可能な規定のサイズからなり、かつ、適正な範囲で上半身の画像が印刷された証明写真を完成させることができる。
【００８１】
しかも、一般に証明写真のサイズは、低画質モードで撮影して印刷した画像のサイズよりも小さいことから、低画質モードで撮影しておいても証明写真のサイズに支障を来すことはない。よって、低画質モードが設定された場合には、小さいサイズの印刷用紙を使用し、かつ少ないインクで経済的に印刷を行うことができる。
【００８２】
（第４の実施の形態）
図７は、本発明の第４の実施の形態における処理手順を示すフローチャートであり、第３の実施の形態と同様に、使用するプリンターが記録画像サイズからプリント画像サイズが一義的に定まるものである場合、つまり印刷用紙のサイズを変更しても、記録時の画質モードに応じた同一サイズで画像を印刷するタイプのプリンターを使用する場合におけるデジタルスチルカメラ１側の処理手順を示すものである。
【００８３】
電源オン状態になると、ＣＰＵ５はＲＯＭ１０に記憶されているプログラムに基づき、図７に示すフローチャートに従って制御を実行する。すなわち、ユーザがキー入力部８で所望の撮影モードを選択することにより撮影モード設定操作を行うと、選択された撮影モードが設定される（ステップＳ４０１）。さらに撮影モードのうち証明写真モードが選択されたか否かを判断し（ステップＳ４０２）、証明写真モードが選択されなかった場合には、選択された撮影モードに応じた撮影処理に移行する。
【００８４】
また、証明写真モードが選択された場合には、画質モードを強制的に低画質モードに切り換える（ステップＳ４０３）。さらに、前述したステップＳ１０１での処理と同様に証明写真の種類を選択する処理を実行する（ステップＳ４０４）。
【００８５】
次に、選択された証明写真の枠を、低画質モードに応じた大きさでスルー画像上に（ガイダンスを伴って）表示する（ステップＳ４０５）。すなわち、ビデオＲＡＭ７には、証明写真モードの状態においては、信号処理回路４で処理された撮像素子３からの出力信号に基づく被写体画像の画像データが所定のタイミング毎に格納される。この画像データに基づき、表示回路１３が表示部１４を駆動することにより、レンズユニット２により撮像素子３上に結像された被写体画像がスルー画像としてＬＣＤからなる表示部１４にて表示される。
【００８６】
そして、この表示部１４に表示されたスルー画像全体が、低画質モードで印刷される画像であり、その縦横サイズは既知である。また、前述のステップＳ４０４では証明写真の種類が選択されておりその縦横サイズも既知である。したがって、表示部１４に表示されたスルー画像全体が低画質モードのプリントサイズであると仮定すると、このプリントサイズに対する相対的な関係から、表示部１４に表示すべき選択された証明写真の枠の大きさを演算することができる。したがって、ＣＰＵ５は、この演算を行って、画質モードに対応する大きさから成る証明写真の枠をスルー画像上（好ましくはスルー画像上の中央部）に表示する。
【００８７】
若しくは、予めＲＯＭ１０に、表示部１４に表示すべき証明写真（ビザ用、パスポート用、履歴書用、自動車運転免許用）の枠のサイズデータを記憶したテーブルを設けておき、このテーブルから対応する枠のサイズデータを読み出して、選択された証明写真の枠をスルー画像上に表示する。
【００８８】
したがって、このステップＳ４０５での処理により、図３（ｃ）に示したように、表示部１４に表示されたスルー画像Ｓを低画質モードとした場合に対応する大きさで、選択された証明写真の枠Ｆが表示部１４に表示される。つまり、選択された証明写真のサイズが大きくなるに従って、枠Ｆは相対的に大きく表示されることとなる。
また、このステップＳ４０５においても、枠Ｆの外部にガイダンスＧを表示する。
【００８９】
次に、シャッターボタンが押下されるまで待機し（ステップＳ４０６）、その間撮影者は、表示部１４を見ながら枠Ｆ内に被撮影者の上半身が適正な範囲で収まるように、デジタルスチルカメラ１の向き、あるいは被撮影者からの距離等を調整する。そして、枠Ｆ内に適正な範囲で被撮影者の上半身が収まった状態で撮影者がシャッターボタンを操作すると（ステップＳ４０６；ＹＥＳ）、低画質モードで撮影処理を実行し（ステップＳ４０７）、スルー画像上に枠が配置された低画質モードでの撮影画像の画像データをメモリカード１２に記録する（ステップＳ４０８）。
【００９０】
そして、このようにして証明写真の撮影が終了したならば、デジタルスチルカメラ１からメモリカード１２を取り外し、ユーザが所有するプリンターにセットする。若しくは、デジタルスチルカメラ１にメモリカード１２を装着した状態で、Ｉ／Ｏ端子１５にユーザが所有するプリンターを接続し、Ｉ／Ｏポート９及びシリアルＩ／Ｏ端子１５を介して、メモリカード１２に記録されている画像データをプリンターに出力する。
【００９１】
ここで、本実施の形態において使用されるプリンターは、前記第３の実施の形態と同様に、記録画像サイズからプリント画像サイズが一義的に定まるものであり、印刷用紙のサイズを変更しても、記録時の画質モードに応じた同一サイズで画像を印刷するタイプのプリンターである。したがって、プリンターに入力される画像データは低画質モードで撮影されたものであるから、高画質モードよりも小さなサイズであって、低画質モードに対応する所定サイズの画像を印刷する。
【００９２】
このとき、前述のステップＳ４０３での処理により強制的に低画質モードに切り換え、ステップＳ４０５での処理により低画質モードに対応する大きさから成る選択された証明写真の枠をスルー画像上に表示し、かつステップＳ４０８での処理により枠のデータも記録したことから、低画質モードで撮影された画像データに基づき印刷された画像上には、ステップＳ４０４で選択された証明写真の縦横サイズを有する枠Ｆが印刷されるとともに、枠Ｆ内に適正な大きさ及び範囲で被撮影者の上半身が収まった画像が印刷される。したがって、印刷後、枠に沿って印刷用紙を切断することにより、使用可能な規定のサイズからなり、かつ、適正な大きさ及び範囲で上半身の画像が印刷された証明写真を完成させることができる。
【００９３】
しかも、一般に証明写真のサイズは、低画質モードで撮影して印刷した画像のサイズよりも小さいことから、低画質モードで撮影しておいても証明写真のサイズに支障を来すことはない。よって、強制的に低画質モードに切り換えて撮影することにより、低画質モードで撮影して印刷するよりも少ないインクで経済的に印刷を行うことができる。
【００９４】
なお、第１、第２の実施の形態においては、画像データに関連付けてプリントサイズ情報をメモリカードに記録するようにしたが、プリントサイズ情報を記録しなくてもよい。この場合、ユーザは撮影時に設定したプリントサイズを覚えておいて、当該プリントサイズ専用のプリンターを使用し、また、使用するプリンターがＬサイズ、Ａ４サイズ、Ｂ５サイズ等のサイズの異なる用紙に印刷可能なものである場合には、覚えておいたプリントサイズを手動でプリンターに設定することになる。
【００９５】
また、第３の実施の形態においては、高画質モードが設定されていた場合は、スルー画像上に表示される枠の大きさがかなり小さくなってしまい、撮影画像上の極めて少ない部分のみが必要となるので、当該部分のみを抽出して記録するようにしてもよい。これより、不要な部分の印刷を回避してインクを節約することができる。
【００９６】
さらに、第４の実施の形態においては、証明写真モードを選択した時点で画質モードを低画質モードに切り換えるようにしたが、証明写真の種類を選択した時点で証明写真の種類に応じた画質モードに自動的に切り換えるようにしてもよい。これにより、証明写真の種類によって必要とするプリントサイズが大きく異なる場合であっても、必要なプリントサイズを確保し得るサイズの画像を記録することができる。
【００９７】
また、第１、第２、第３、第４の実施の形態においては、いずれも証明写真用の枠外にもスルー画像を表示させるようにしたが、枠内のみスルー画像を表示させるようにしてもよい。
【００９８】
また、第１、第２、第３、第４の実施の形態においては、スルー画像上に枠を表示させるようにしたが、第２、第４の実施の形態の場合、スルー画像上に枠を表示させないケースも考えられる。
【００９９】
また、第１、第２、第３、第４の実施の形態においては、いずれもビザ用、パスポート用等の証明写真を撮影するための証明写真モードに本発明を適用した場合について説明したが、本発明はこれに限るものではなく、ハート形状、円形、テープ（ビデオ）ラベル形状、ディスクラベル形状、名刺形状等のフレーム（枠）をスルー画像上に表示して撮影モードに適用してもよく、必要とするプリントサイズが決まっているものであれば本発明を適用することができる。
【０１００】
また、第１、第２、第３、第４の実施の形態においては、いずれも本発明を電子スチルカメラに適用した場合について説明したが、本発明はこれに限るものではなく、他にもカメラ付き携帯電話端末、カメラ付きＰＤＡ（ＰｅｒｓｏｎａｌＤｉｇｉｔａｌ  Ａｓｓｉｓｔａｎｔｓ：携帯情報端末）、カメラ付きパーソナルコンピュータ、等に適用することも容易に可能であり、撮像機能が搭載された装置であればいずれにも適用することができる。
【０１０１】
【発明の効果】
【０１０２】
以上説明したように請求項１及び請求項１３にかかる発明によれば、指定されたプリントサイズに応じて、スルー画像上に表示されている撮影ガイド用の枠のサイズを変更するようにしたことから、プリントサイズが大きくなるに従って枠は相対的に小さく表示されることとなり、逆にプリントサイズが小さくなるに従って枠は相対的に大きく表示されることとなる。したがって、撮影者は、枠内に被撮影者の上半身が適正な範囲で収まるように、撮像装置の向き、あるいは被撮影者からの距離等を調整することにより、枠内に適正な範囲で被撮影者の上半身が収まった状態での撮影記録が可能となる。よって、規定サイズ内に適正な大きさ及び範囲で画像が存在する証明写真を印刷できるように撮影を行うことができる。
【０１０３】
また、請求項４及び請求項１４にかかる発明によれば、設定された所定の撮影モードに対応する所定のプリント用紙サイズを示す情報とともに画像データを記録させるようにしたことから、記録された画像データに基づき印刷を行う際に使用するプリンターが、Ｌサイズ、Ａ４サイズ、Ｂ５サイズ等のサイズの異なる用紙に印刷可能なものである場合には、記録されている所定の撮影モードに対応する所定のプリント用紙サイズを示す情報に基づき、プリンターが当該プリント用紙サイズで印刷を行うことができる。したがって、印刷後、印刷用紙を切断することにより、使用可能な規定のサイズからなり、かつ、適正な大きさ及び範囲で上半身の画像が印刷された証明写真を完成させることができる。
【０１０４】
また、請求項５及び請求項１５にかかる発明によれば、指定されたプリントサイズに応じて、記録媒体に記録する記録画像上に配置する撮影画像の大きさ及び又は枚数を決定するようにしたことから、記録画像上にプリントサイズに応じた大きさ及び又は枚数の撮影画像が配置された画像データを記録することが可能となる。したがって、この画像データに基づきプリンターで印刷を行うことにより、印刷用紙を効率的に使用して適正な大きさ及び範囲の画像を印刷することができる。
【０１０５】
また、請求項１０及び請求項１６にかかる発明によれば、撮影ガイド用の枠とともに撮影時の注意事項等のガイダンスを表示させるようにしたことから、撮影者がこのガイダンスを視認してこれに従い、あるいは被撮影者に指示することにより、サイズ以外の条件に関しても適切な証明写真となる画像を撮影記録することが可能となる。
【０１０６】
また、請求項１１及び請求項１７にかかる発明によれば、撮影記録が終了後、記録された画像データに基づき印刷を行う際に使用するプリンターが、記録画像サイズからプリント画像サイズが一義的に定まるものである場合、当該（記録）画像サイズを指定すれば、これに応じてスルー画像上に表示されている撮影ガイド用の枠のサイズを変化させることができる。したがって、撮影者は、枠内に被撮影者の上半身が適正な範囲で収まるように、撮像装置の向き、あるいは被撮影者からの距離等を調整することにより、枠内に適正な範囲で被撮影者の上半身が収まった状態で印刷できるように撮影記録することが可能となる。
【０１０７】
また、請求項１２及び請求項１８にかかる発明によれば、スルー画像上に撮影ガイド用の枠を表示する撮影モードが設定されて証明写真を作成することを目的とする撮影である場合には、記録する画像サイズを所定の画像サイズに設定変更することができる。したがって、一般の写真よりも比較的に小さい画像サイズである証明写真を作成するための画像サイズからなる画像データを効率的に記録することができる。その結果、撮影記録後の印刷時において、効率的に印刷用紙及びインク使用して印刷を行うことができ、これにより経済的に証明写真を作成することができる。
【図面の簡単な説明】
【図１】本発明の各実施の形態に共通するデジタルスチルカメラの概略ブロック構成図である。
【図２】本発明の第１の実施の形態における処理手順を示すフローチャートである。
【図３】同実施の形態における表示遷移図である。
【図４】本発明の第２の実施の形態における処理手順を示すフローチャートである。
【図５】記録画像と撮影画像との関係を示す説明図である。
【図６】本発明の第３の実施の形態における処理手順を示すフローチャートである。
【図７】本発明の第４の実施の形態における処理手順を示すフローチャートである。
【符号の説明】
１    デジタルスチルカメラ
３    撮像素子
４    信号処理回路
５    ＣＰＵ
７    ビデオＲＡＭ
８    キー入力部
９    Ｉ／Ｏポート
１０    ＲＯＭ
１１    ＲＡＭ
１２    メモリカード
１３    表示回路
１４    表示部
１５    シリアルＩ／Ｏ端子
Ａ    撮影画像
Ｂ    記録画像
Ｆ    枠
Ｇ    ガイダンス
Ｐ    プリントサイズ
Ｓ    スルー画像
【図１】
2004207813.tif 000003
【図２】
2004207813.tif 000004
【図３】
2004207813.tif 000005
【図４】
2004207813.tif 000006
【図５】
2004207813.tif 000007
【図６】
2004207813.tif 000008
【図７】
2004207813.tif 000009